(57)【特許請求の範囲】
【請求項１】
モーターの軸と、前記モーターの軸と嵌合するボス部と羽の付け根に壁を有するファンと、板バネとを備え、前記板バネは、台形形状をしており、前記モーターの軸を通す軸孔の返り部と尖った爪部を有し、前記軸孔の前記返り部は、前記軸を前記ファンのボス部に挿入する時は入れ易く抜く時は軸に引っかかる形状をし、前記爪部は、前記ファンの羽の付け根の壁と前記ボス部の間の隙間に前記板バネを挿入する時は容易に入り込み引き抜く時は前記壁の内側に刺さるようにし、前記板バネが前記軸と前記ファンの双方を固定することで、前記軸と前記ファンのボス部に緩みが生じても前記板ばねにより前記ファンと前記モーターの軸の抜けを防止できる加熱調理器具のファンモーター。
【発明の詳細な説明】
【０００１】
【産業上の利用分野】
本発明は加熱調理器具に用いられるファンモーターに取付けたファンが、モーターの軸から抜けるのを防止する事に関するものである。
【０００２】
【従来の技術】
加熱調理機器の機能部品の冷却あるいは燃焼空気の送風などにファンモーターが使用されているが、このファンモーターも近年の価格競争でコストを下げるためできるだけ共用化が進められている。使用地域によってモーターのコイル電圧が異なる等、種々の理由により色々の種類のファンモーターが用いられるが、少なくともファンモーターの軸は、共用となる様にすることは可能である。このモーターの軸とファンの関係を共用化のポイントで見てみると、例えばコスト面ではモーターの軸はできるだけ短く、又安全面ではモーターの軸を接近する高電圧等の充電部に接触しない様に考慮して、ファンのモーターの軸穴は貫通させない袋状に塞いだ形を標準とする。あるいはファンとモーターの軸を簡単に固定する為、ファンは樹脂成型品とし、モーターの軸をファンの軸穴に圧入のみで固定する形を標準とする。前述の形を比較的コストの低い共用化のファンモーターの仕様として従来技術を説明する。
【０００３】
以下従来例を図８で説明する。樹脂成型品のファン１の回転中心部のボス部２に、モーターの軸４が圧入されている。軸４は先端部がＤカットされファン１が軸４に対し回転しないようにしてある。又前記ボス部２の軸穴８は、袋状でモーターの軸４が軸穴８から飛び出さないようにしている。
【０００４】
【発明が解決しようとする課題】
しかしながらこの様な従来の構成では、ファンモーターを色々な場合に使うときに、共用化で決めた仕様に不都合が出てくる場合がある。例えば、ファンモーターの使用環境温度が高めになる、あるいは、回転断続回数が多めである等で、圧入されたファン１と軸４との間にガタが生じ抜けてくる場合である。
【０００５】
本発明は、上記仕様のファンモーターで共用化のコストメリットを享受しつつ前述の圧入されたファンとモーターの軸の抜けを防止しようとするのを第一の目的とし、又ファンとモーターの軸の固定を安定、且つ確実に行う事を第二の目的としている。
【０００６】
【課題を解決するための手段】
前記目的を達成するために、本発明の加熱調理器具のファンモーターは下記構成とした。すなわち、モーターの軸と、前記モーターの軸と嵌合するボス部と羽の付け根に壁を有するファンと、板バネとを備え、、台形形状をしており、前記モーターの軸を通す軸孔の返り部と尖った爪部を有し、前記軸孔の前記返り部は、前記軸を前記ファンのボス部に挿入する時は入れ易く抜く時は軸に引っかかる形状をし、前記爪部は、前記ファンの羽の付け根の壁と前記ボス部の間の隙間に前記板バネを挿入する時は容易に入り込み引き抜く時は前記壁の内側に刺さるようにし、前記板バネが前記軸と前記ファンの双方を固定することで、軸とファンのボス部に緩みが生じても前記板ばねにより前記ファンと前記モーターの軸の抜けを防止できる構成とした。
【０００７】
【作用】
本発明は上記の構成により、前記板バネがモーターの軸に対し抜ける方向に引っかかり、あわせてファンに対しても設けた爪により引っかかるので、板バネがモーターの軸とファン双方を固定し、結局ファンとモーターの軸の抜けが防止できる。
【０００８】
【実施例】
以下、本発明の一実施例を高周波加熱装置に適用した場合を図面に基づいて説明する。
【０００９】
図７は高周波加熱装置の内部側面図である。オーブン１２の側面に取り付けられた高周波発生用電源部品のマグネトロン１０と高圧トランス１１をファン１とモーター９により冷却する。図１は図７のモーター９の軸先端部とファン１の部分を示す図で、図１（ａ）は前記部分の部分断面図で、図１（ｂ）は（ａ）のＡ矢視方向図である。ファン１のボス部２とモーター９の軸４の関係は、図８で説明した従来のものと同一である。本発明の特徴は従来の構成に加えさらに板バネ３を装着させたことである。板バネ３は図２で示すように台形形状をしており、モーター９の軸４を通す軸孔の返り部６と尖った爪５を有している。軸孔の前記返り部６は、軸４をファン１のボス部２に挿入する時は入れ易く、逆に抜く時は軸４に引っかかる形状をしている。又、尖った前記爪５は、ファン１の羽の付け根の壁７と前記ボス部２の間の隙間に板バネ３を挿入する時は、容易に入り込み、逆に板バネ３を引き抜く時は、前記壁７の内側に刺さるようにして図１（ｂ）の図の様に４ヶ所引っかかる。この様に板バネ３が軸４とファン１の双方を固定するので、軸４とファン１のボス部２に緩みが生じても板ばね３によりファン１とモーターの軸４の抜けを防止できる。
【００１０】
図３は図１、図２での実施例のファン１のボス部２の形状変化に伴う板バネの変形例で、板バネ１３の形状は図１の板バネ３と異なるが、その働きを作用共図１、図２で説明した内容と同じであり、詳細説明は省略する。
【００１１】
図４は図１、図２の実施例での板バネを筒状に加工し筒バネ１４とし、前記筒バネ１４の周囲にある爪１５がファン１のボス部２に食い込み筒バネ１４とファン１を固定するものである。その他の働き作用共図１、図２で説明した内容と同じであり、詳細説明は省略する。
【００１２】
以下本発明に関連する参考例を図６にて説明する。図６も板バネ１６の軸４の貫通部分が図１で説明したのと異なるだけで、その他の働き作用共図１、図２で説明した内容と同じであり、同じ部分の説明は省略する。まず前記板バネ１６の軸４の貫通部の孔であるが、この孔は軸４に対し抜け防止のないただの孔である。その代わり前記軸４に対して抜け防止の返り部１８を持つバネ金具１７をボス部２と板バネ１６の間に単独部品として挿入したので、軸４のボス部２からの抜けは、板バネ１６がバネ金具１７を抑える事により防止している。又前記バネ金具１７の軸４を通す抜け防止の返り部１８に、軸４に対し適正な挿入力、引き抜き力をとる為の細かな寸法加工ができる様、バネ金具１７は前述の通り加工し易い単独部品である。上記の構成によりファン１と軸４の固定を安定且つ確実にする事ができる。
【００１３】
【発明の効果】
以上の様に本発明の加熱調理器具のファンモーターのファンとモーターの軸抜け防止構造に依れば次の効果が得られる。
【００１４】
（１）本発明は、ファンモーターのファンとモーターの軸部分について、共用化のコストメリットを享受しつつ、ファンに圧入したモーターの軸が抜けないような使用状態の保証を簡単な追加板バネにより行う事ができるので信頼性の高いものとすることができる。
【００１５】
（２）ファンモーター軸を固定するバネ材のモーターの軸との貫通部は、モーターの軸に対する挿入力、引き抜き力を適正にする為細かな寸法管理が必要であるが、この部分を単純な加工しやすい形のバネ金具としたので、ファンとモーターの軸の固定を安定、且つ確実に行う事ができる。
【００１６】
（３）本発明のバネ金具を含む板バネは、挿入のみで固定ができる構造であり、これらバネ部品の装着組立が簡単である。
【図面の簡単な説明】
【図１】（ａ）本発明の一実施例に於ける加熱調理器具のファンとモーターの軸抜け防止構造の要部断面図
（ｂ）図１（ａ）をＡ矢方向よりみた図
【図２】本発明の図１の一実施例に於ける加熱調理器具のファンとモーターの軸抜け防止構造の板バネ外観図
【図３】（ａ）本発明の他の実施例に於ける加熱調理器具のファンとモーターの軸抜け防止構造の要部断面図
（ｂ）図３（ａ）をＢ矢方向よりみた図
【図４】本発明の他の一実施例に於ける加熱調理器具のファンとモーターの軸抜け防止構造の要部断面図
【図５】本発明の図４の一実施例に於ける加熱調理器具のファンとモーターの軸抜け防止構造の
板バネ外観図
【図６】本発明の他の実施例に於ける加熱調理器具のファンとモーターの軸抜け防止構造の要部断面図
【図７】加熱調理器具の内部側面図
【図８】従来の加熱調理器具のファンとモーターの軸抜け防止構造の要部断面図
【符号の説明】
１  ファン
２  ボス部
３  板バネ
４  モーターの軸
５  爪部
６  返り部
８  軸穴
９  モーター
１６  板バネ
１７  バネ金具
【図１】
0003579928.tif 000002
【図２】
0003579928.tif 000003
【図３】
0003579928.tif 000004
【図４】
0003579928.tif 000005
【図５】
0003579928.tif 000006
【図６】
0003579928.tif 000007
【図７】
0003579928.tif 000008
【図８】
0003579928.tif 000009